(57)【特許請求の範囲】
【請求項１】
センサを有し、前記センサによって検知された検知状態を示す信号を、照明ユニットに取り付けられた電線カバーの内側を通過する信号線を介して前記照明ユニットに入力する検知部と、
前記検知部を保持し、前記電線カバーと連結されることで前記照明ユニットに対して固定される保持部と
を備え、
前記保持部は、一方の端が前記電線カバーと連結されるとともに、他方の端が、埋め込み穴に埋め込まれた状態で使用される前記照明ユニットに取り付けられた枠の露出する側と反対側の面に当たることで、前記照明ユニットに対して固定されるセンサユニット。
【請求項２】
前記保持部の前記枠に当たる端は、前記センサを露出させるために一部が開口している請求項１に記載のセンサユニット。
【請求項３】
前記保持部は、前記電線カバーと連結される端が開口した箱状である請求項１または２に記載のセンサユニット。
【請求項４】
請求項１から３のいずれか１項に記載のセンサユニットと、
前記照明ユニットと、
前記電線カバーと
を備える照明装置。
【請求項５】
前記照明ユニットは、
埋め込み穴に埋め込まれた状態で使用される照明ユニットであり、
前記照明ユニットには、少なくとも１つの開口部が設けられた枠が取り付けられ、
前記センサは、前記少なくとも１つの開口部から露出する請求項４に記載の照明装置。
【請求項６】
前記検知部は、操作用のつまみが取り付けられたスイッチをさらに有し、
前記スイッチのつまみは、前記少なくとも１つの開口部から露出する請求項５に記載の照明装置。
【請求項７】
前記枠は、露出する側の面が傾斜して反射面を形成し、
前記反射面の一部には、前記少なくとも１つの開口部が設けられた段差が形成されている請求項５または６に記載の照明装置。
【請求項８】
前記電線カバーは、
一方の端が前記保持部と連結され、他方の端が前記照明ユニットに取り付けられている請求項４から７のいずれか１項に記載の照明装置。
【請求項９】
前記照明ユニットは、
点灯回路が配置された電源基板と、前記電源基板を収納する筐体とを有する電源ユニットと、
前記筐体の外側に設置され、前記検知部から入力される信号に基づいて前記点灯回路の動作を制御する制御部と、前記制御部を覆うユニットカバーとを有する制御ユニットと
を備え、
前記電線カバーは、前記ユニットカバーに取り付けられている請求項４から８のいずれか１項に記載の照明装置。
【請求項１０】
前記電源ユニットは、前記筐体の端に取り付けられた蓋体をさらに有し、
前記制御部は、前記蓋体に取り付けられている請求項９に記載の照明装置。
【請求項１１】
前記電源ユニットは、前記蓋体に取り付けられ、前記電源基板および前記制御部に電力を供給する電源端子台をさらに有する請求項１０に記載の照明装置。
【発明の詳細な説明】
【技術分野】
【０００１】
本発明は、センサユニットおよび照明装置に関するものである。
【背景技術】
【０００２】
特許文献１には、センサ機能を備えた照明装置が開示されている。
【先行技術文献】
【特許文献】
【０００３】
【特許文献１】特開２００５−３４６９５７号公報
【発明の概要】
【発明が解決しようとする課題】
【０００４】
特許文献１に開示された技術では、枠体とセンサユニットとが一体的に構成されたセンサユニット枠を天井の取り付け孔に装着することで、照明装置にセンサ機能を付加している。そのため、天井の開口寸法に応じて、外形寸法の異なるセンサユニット枠を製品として揃える必要がある。
【０００５】
本発明は、汎用性の高いセンサユニットを提供することを目的とする。
【課題を解決するための手段】
【０００６】
本発明の一態様に係るセンサユニットは、
センサを有し、前記センサによって検知された検知状態を示す信号を、照明ユニットに取り付けられた電線カバーの内側を通過する信号線を介して前記照明ユニットに入力する検知部と、
前記検知部を保持し、前記電線カバーと連結されることで前記照明ユニットに対して固定される保持部とを備える。
【発明の効果】
【０００７】
本発明では、センサユニットを枠体と一体的に構成したり、枠体に取り付けたりする必要がなく、センサユニットの保持部を、照明装置の本体に相当する照明ユニットに取り付けられた電線カバーに連結するだけで、照明装置にセンサ機能を付加することができる。よって、本発明によれば、汎用性の高いセンサユニットを提供することができる。
【図面の簡単な説明】
【０００８】
【図１】実施の形態１に係る照明装置の斜視図。
【図２】実施の形態１に係る照明装置の底面図。
【図３】実施の形態１に係る照明装置の平面図。
【図４】実施の形態１に係る照明装置の断面図。
【図５】実施の形態１に係る照明装置の分解斜視図。
【図６】実施の形態１に係る照明装置の一部の分解斜視図。
【図７】実施の形態１に係る照明装置の一部の分解斜視図。
【図８】実施の形態１に係る照明装置の一部の分解斜視図。
【図９】実施の形態２に係る照明装置の斜視図。
【図１０】実施の形態２に係る照明装置の底面図。
【図１１】実施の形態２に係る照明装置の平面図。
【図１２】実施の形態２に係る照明装置の断面図。
【図１３】実施の形態２に係る照明装置の分解斜視図。
【図１４】実施の形態２に係る照明装置の一部の分解斜視図。
【発明を実施するための形態】
【０００９】
以下、本発明の実施の形態について、図を用いて説明する。なお、各図中、同一または相当する部分には、同一符号を付している。実施の形態の説明において、同一または相当する部分については、説明を適宜省略または簡略化する。また、実施の形態の説明において、「上」、「下」、「左」、「右」、「前」、「後」、「表」、「裏」といった配置または向きは、説明の便宜上、そのように記しているだけであって、装置、器具、部品等の配置または向きを限定するものではない。装置、器具、部品等の構成について、材質、形状、大きさ等は、本発明の範囲内で適宜変更することができる。
【００１０】
実施の形態１．
＊＊＊構成の説明＊＊＊
図１から図８を参照して、本実施の形態に係る照明装置１００の構成を説明する。図１は、照明装置１００を斜め下方から見た図である。図２は、照明装置１００を下方から見た図である。図３は、照明装置１００を上方から見た図である。図４は、天井に取り付けられた状態の照明装置１００の縦断面を示す図である。図５は、照明装置１００が分解された状態を示す図である。図６、図７および図８は、照明装置１００の一部が分解された状態を示す図である。なお、本実施の形態の説明において、「上方」、「下方」、「側方」、「前方」、「後方」、「斜め上方」、「斜め下方」といった方向は、照明装置１００が天井に取り付けられる場合の方向を示している。照明装置１００は、壁等、天井以外の被取り付け部に取り付けられてもよい。
【００１１】
照明装置１００は、照明ユニット１１０と、電線カバー７７０と、センサユニット１２０と、枠４００とを備える。
【００１２】
照明ユニット１１０は、光源ユニット２００と、光源ユニット２００に点灯電力を供給する照明用の電源ユニット３００と、電源ユニット３００の動作を制御する制御ユニット１３０とを備える。
【００１３】
光源ユニット２００は、光源基板２１０と、板状部材２２０と、絶縁シート２３０と、反射板２４０と、拡散板２５０と、取り付け補助部材２６０と、バネ２７０とを有する。
【００１４】
板状部材２２０には、光源基板２１０が取り付けられている。取り付け補助部材２６０は、板状部材２２０への光源基板２１０の取り付けを補助する。反射板２４０は、取り付け補助部材２６０を固定するとともに、光源基板２１０を板状部材２２０に固定する。バネ２７０は、外側に突出するように反射板２４０に取り付けられている。反射板２４０は、ネジで板状部材２２０に締結されている。拡散板２５０は、透明または半透明である。すなわち、拡散板２５０は、透光性を有する。拡散板２５０は、反射板２４０に取り付けられ、光源基板２１０に実装された発光素子２１１を覆う。
【００１５】
光源基板２１０には、ＬＥＤである発光素子２１１が実装されている。すなわち、光源基板２１０には、発光素子２１１を含む光源回路が配置されている。発光素子２１１の個数は、任意の個数でよいが、本実施の形態では２６個である。発光素子２１１は、本実施の形態では表面実装型（ＳＭＤ）のＬＥＤであるが、チップオンボード（ＣＯＢ）のＬＥＤ等、他の種類のＬＥＤであってもよい。あるいは、発光素子２１１は、有機ＥＬまたはレーザといったＬＥＤ以外の固体発光素子であってもよい。発光素子２１１は、光源基板２１０に実装されていなくてもよく、発光素子２１１を含む光源回路が光源ユニット２００に配置されていればよい。
【００１６】
板状部材２２０は、それぞれ表面と裏面となる２つの板面を有する。板状部材２２０の一方の板面には、光源基板２１０が固定されている。すなわち、板状部材２２０の一方の板面には、発光素子２１１を含む光源回路が配置されている。また、板状部材２２０の一方の板面には、反射板２４０が取り付けられている。後述するように、反射板２４０には、開口部２４１が設けられている。光源基板２１０は、反射板２４０と板状部材２２０との間に挟まれた状態で板状部材２２０の一方の板面の中心を含む領域に固定され、反射板２４０の開口部２４１を通して発光素子２１１から光を照射する。取り付け補助部材２６０は、板状部材２２０の一方の板面の光源基板２１０が固定された領域に隣接する位置に、光源基板２１０の位置決めのために設置されている。板状部材２２０の光源基板２１０が取り付けられる部分の周囲には、反射板２４０を締結するためのネジ穴、取り付け補助部材２６０を取り付けるための穴等が形成されている。板状部材２２０の他方の板面は、電源ユニット３００に連結されている。
【００１７】
本実施の形態において、板状部材２２０の一方の板面には、絶縁シート２３０、光源基板２１０、反射板２４０、拡散板２５０が順番に重ねて取り付けられている。板状部材２２０および反射板２４０には、対応する複数の位置にネジ穴が設けられている。ネジが反射板２４０のネジ穴を貫通して板状部材２２０のネジ穴に挿入されて締められることで、反射板２４０が板状部材２２０に固定される。絶縁シート２３０および光源基板２１０は、板状部材２２０と反射板２４０との間に挟み込まれることで固定されている。拡散板２５０は、後述するように、反射板２４０に嵌め込まれることで固定されている。なお、光源基板２１０、絶縁シート２３０および拡散板２５０にもネジ穴が設けられてよい。その場合、ネジが拡散板２５０、反射板２４０、光源基板２１０、絶縁シート２３０のそれぞれのネジ穴を順番に貫通して板状部材２２０のネジ穴に挿入される。
【００１８】
板状部材２２０は、熱伝導性材料により形成されている。本実施の形態では、板状部材２２０は、金属材料により一体成形されている。
【００１９】
取り付け補助部材２６０は、弓状に形成された板材である。取り付け補助部材２６０は、板状部材２２０に取り付けられ、アーチ状に形成された内側面に光源基板２１０を当接させることで、光源基板２１０が板状部材２２０の決まった位置に取り付けられるように光源基板２１０の取り付けをガイドする。取り付け補助部材２６０には、一方の面から立ち上がって途中で折り返すように凸部が形成されている。この凸部は、バネ性を有し、枠４００に設けられた穴に引っ掛けられるようになっている。この凸部は、いわゆるスナップフィットと呼ばれる構造であり、枠４００に設けられた穴に挿入された状態を弾性力によって保つことで、照明ユニット１１０を枠４００に固定する。
【００２０】
取り付け補助部材２６０のアーチ状に形成された内側面は、板状部材２２０の一方の板面に対して垂直に延びて光源基板２１０の側面の一部に接することで、板状部材２２０の一方の板面への光源基板２１０の取り付けを案内する。これにより、板状部材２２０の一方の板面における光源基板２１０の位置決めが行われる。本実施の形態において、光源基板２１０の側面の一部は、外側に膨らんだ形状である。取り付け補助部材２６０のアーチ状に形成された内側面は、この光源基板２１０の側面の外側に膨らんだ形状に合わせて内側に凹んでいる。そのため、光源基板２１０を板状部材２２０の一方の板面へ取り付ける作業がスムーズに行える。
【００２１】
反射板２４０には、発光素子２１１を露出させるための円形の開口部２４１が設けられている。反射板２４０は、発光素子２１１からの光を開口部２４１の内周面で反射する。
【００２２】
反射板２４０の、板状部材２２０の一方の板面に対向する面には、取り付け補助部材２６０の一部を嵌めて固定するための溝または穴が設けられている。反射板２４０の側面には、切り欠き２４３が設けられている。取り付け補助部材２６０は、一部が反射板２４０の側面の切り欠き２４３から外側に露出する。前述した取り付け補助部材２６０の凸部は、取り付け補助部材２６０の外側に露出した部分に配置されている。
【００２３】
反射板２４０は、外壁の一部が凹んで形成され、１対のバネ２７０が取り付けられる１対のバネ取り付け部２４２を有する。
【００２４】
バネ２７０は、長手状かつ平板状の金属板が長手方向の複数箇所で折り曲げられて形成される板バネである。バネ２７０は、コ字状に屈曲した部分の一端付近が切り起こされて斜めに突出し、この突出した部分がバネ取り付け部２４２に嵌るようになっている。また、バネ２７０は、コ字状に屈曲した部分の他端が延びて長手方向の少なくとも１箇所が屈曲することで凸部が形成されている。この凸部は、枠４００に設けられた穴に引っ掛けられるようになっている。この凸部は、枠４００に設けられた穴に挿入された状態を弾性力によって保つことで、照明ユニット１１０を枠４００に固定する。
【００２５】
本実施の形態では、取り付け補助部材２６０の凸部が、枠４００に設けられた穴に引っ掛かるとともに、バネ２７０の凸部が、枠４００に設けられた別の穴に引っ掛かることで、照明ユニット１１０が枠４００に確実に固定される。必須ではないが、本実施の形態では、さらに、枠４００が照明ユニット１１０にネジ止めされており、照明ユニット１１０が枠４００に、より確実に固定される。これは、製造工程で枠４００が照明ユニット１１０に取り付けられた状態で出荷される場合に好適であり、輸送時に受ける振動や衝撃によって枠４００が照明ユニット１１０から外れてしまうおそれがなくなる。また、照明装置１００を施工する（取り付ける）際に、照明ユニット１１０に枠４００を取り付ける必要がなくなるので、施工に要する時間を大幅に削減することができる。
【００２６】
絶縁シート２３０は、板状部材２２０と光源基板２１０との間に挟み込まれ、光源基板２１０を板状部材２２０から電気的に絶縁する。
【００２７】
拡散板２５０は、透光性材料により形成されている。具体的には、拡散板２５０は、透光性を有する樹脂で形成された円形状の板材であり、外周部から一方の面に対して略垂直となるように２つの爪が突出している。拡散板２５０は、これら２つの爪が開口部２４１の周囲に設けられた２つの穴に嵌り込むことで、反射板２４０の開口部２４１を覆うように反射板２４０に取り付けられている。拡散板２５０は、発光素子２１１から直接放射された光と反射板２４０で反射された光とを拡散しながら透過させる。
【００２８】
電源ユニット３００は、電源基板３１０と、出力電線３２０と、筐体３３０と、蓋体３４０と、電源端子台３５０と、信号出力端子台３５１と、信号入力端子台３５２と、入力電線３６０と、収容体３７０とを備える。
【００２９】
電源基板３１０には、点灯回路３１１が配置されている。
【００３０】
出力電線３２０は、電源基板３１０と光源基板２１０とを電気接続することで、点灯回路３１１から発光素子２１１を含む光源回路への点灯電力の出力経路となる。すなわち、出力電線３２０は、電源基板３１０に配置された点灯回路３１１と光源基板２１０に配置された光源回路とを電気接続することで、点灯回路３１１から光源回路への点灯電力の出力経路となる。
【００３１】
筐体３３０は、円筒状の周壁部と、底壁部とを有する。底壁部は、周壁部と一体成形されている。底壁部は、周壁部の一端を塞ぐ。筐体３３０の内側には、電源基板３１０が収容される収容空間が形成されている。すなわち、筐体３３０は、電源基板３１０を収納する。筐体３３０は、光源ユニット２００を外側から底壁部に取り付けることができるように構成されている。底壁部には、出力電線３２０が筐体３３０の内側から筐体３３０の外側に挿通される貫通孔が設けられている。本実施の形態では、底壁部には、光源ユニット２００が筐体３３０の外側から連結されている。具体的には、底壁部には、板状部材２２０の他方の板面が連結されている。
【００３２】
筐体３３０は、上記のように構成されているため、発光素子２１１の点灯中に光源ユニット２００から発生する熱を底壁部と光源ユニット２００との連結箇所から底壁部を介して周壁部に伝導させて放熱する。本実施の形態では、周壁部と底壁部とが一体成形されているため、周壁部と底壁部との間に熱抵抗が生じにくい。よって、ＬＥＤに生じた熱を光源ユニット２００から底壁部、周壁部へと効率よく伝えることができる。
【００３３】
蓋体３４０は、周壁部の他端を塞ぐように、筐体３３０の端に取り付けられている。蓋体３４０は、熱伝導性材料により形成されている。本実施の形態では、蓋体３４０は、金属材料により一体成形されている。
【００３４】
電源端子台３５０は、図示していない商用電源等の外部電源に接続される。電源端子台３５０は、筐体３３０の外側から蓋体３４０に固定されている。すなわち、電源端子台３５０は、蓋体３４０に取り付けられている。
【００３５】
信号出力端子台３５１は、図示していない他の照明装置等の外部装置に接続される。信号出力端子台３５１は、電源端子台３５０と同じように、筐体３３０の外側から蓋体３４０に固定されている。すなわち、信号出力端子台３５１は、蓋体３４０に取り付けられている。信号出力端子台３５１は、電源端子台３５０の隣に配置されている。信号出力端子台３５１は、照明装置１００からの指令に基づいて照明装置１００とは別の照明装置を制御する場合に用いられる。
【００３６】
信号入力端子台３５２は、図示していない制御端末等の外部装置に接続される。信号入力端子台３５２は、電源端子台３５０および信号出力端子台３５１と同じように、筐体３３０の外側から蓋体３４０に固定されている。すなわち、信号入力端子台３５２は、蓋体３４０に取り付けられている。信号入力端子台３５２は、電源端子台３５０の信号出力端子台３５１とは反対側の隣に配置されている。信号入力端子台３５２は、照明装置１００の外部に設置された制御端末等からの指令に基づいて照明装置１００を制御する場合に用いられる。
【００３７】
入力電線３６０は、電源基板３１０と電源端子台３５０とを電気接続することで、外部電源から点灯回路３１１への点灯電力の入力経路となる。
【００３８】
筐体３３０は、前述した周壁部と底壁部とのほかに、フランジ部３３４を有する。フランジ部３３４は、底壁部と同じように、周壁部と一体成形されている。フランジ部３３４は、周壁部の他端から周壁部の中心軸方向に対して垂直に突出する。すなわち、フランジ部３３４は、周壁部の他端から周壁部の半径方向に突出する。周壁部には、入力電線３６０を筐体３３０の外側から筐体３３０の内側に通す切り欠き３３５が設けられている。フランジ部３３４には、蓋体３４０が連結されている。具体的には、フランジ部３３４には、蓋体３４０に設けられたネジ穴３４５に挿入されるネジによって蓋体３４０が締結されている。なお、入力電線３６０を通すために、切り欠き３３５の代わりに、貫通孔が周壁部に設けられてもよい。フランジ部３３４の位置および個数は、任意の位置および個数でよいが、本実施の形態では周壁部の半径方向に沿って対向する２つの位置にフランジ部３３４が設けられている。よって、フランジ部３３４の個数は２個である。
【００３９】
筐体３３０は、上記のように構成されているため、発光素子２１１の点灯中に光源ユニット２００から発生する熱を底壁部と光源ユニット２００との連結箇所から底壁部と周壁部とフランジ部３３４とを介してフランジ部３３４と蓋体３４０との連結箇所まで伝導させて放熱する。本実施の形態では、周壁部とフランジ部３３４とが一体成形されているため、周壁部とフランジ部３３４との間に熱抵抗が生じにくい。よって、ＬＥＤに生じた熱を光源ユニット２００から底壁部、周壁部、フランジ部３３４、蓋体３４０へと効率よく伝えることができる。
【００４０】
筐体３３０は、熱伝導性材料により形成されている。本実施の形態では、筐体３３０は、金属材料により一体成形されている。具体的には、筐体３３０は、１枚の金属板を絞り加工してコップ状に成形されている。なお、筐体３３０は、ダイキャスト加工等、絞り加工以外の方法で製造されてもよい。
【００４１】
蓋体３４０には、通気孔３４６が設けられている。そのため、底壁部に設けられた貫通孔から通気孔３４６までつながる通気経路が筐体３３０の内側に形成されている。これにより、対流が発生し、筐体３３０の放熱性が向上する。なお、底壁部に貫通孔とは別の通気孔が設けられてもよいし、さらに、周壁部にも通気孔が設けられてよい。また、周壁部に設けられた切り欠き３３５が通気孔を兼ねてもよい。
【００４２】
収容体３７０は、筐体３３０の内側に収納されている。収容体３７０は、電源基板３１０を収容する。このように、本実施の形態では、電源基板３１０が、筐体３３０の内側に形成された収容空間に直接収容されるのではなく、収容体３７０を介して収容される。そのため、筐体３３０の中に収容体３７０を設置するスペースがあればよく、余分なスペースを確保しておく必要はない。
【００４３】
収容体３７０は、絶縁性材料により形成されている。本実施の形態では、収容体３７０は、樹脂材料により一体成形されている。
【００４４】
制御ユニット１３０は、制御部７２０と、絶縁ケース７２４と、ユニットカバー７２５とを有する。
【００４５】
制御部７２０は、筐体３３０の外側に設置されている。具体的には、制御部７２０は、筐体３３０の外側から蓋体３４０に取り付けられている。制御部７２０は、後述するセンサユニット１２０の検知部７１０から入力される信号に基づいて点灯回路３１１の動作を制御する。電源端子台３５０は、電源基板３１０だけでなく、制御部７２０にも電力を供給する。
【００４６】
制御部７２０は、制御基板７２１を有する。制御基板７２１には、制御回路７２２と、コネクタ７２３とが配置されている。制御回路７２２は、点灯回路３１１と電気接続されており、センサユニット１２０の検知部７１０から入力される信号に基づいて生成した制御信号を点灯回路３１１に対して出力する。この制御信号を伝達する信号線は、一端が制御基板７２１に接続され、入力電線３６０と同じように、切り欠き３３５を通って筐体３３０の内側に入り、他端が電源基板３１０に接続される。制御回路７２２は、入力信号線７３４を介して信号入力端子台３５２と電気接続されている。また、制御回路７２２は、出力信号線７３５を介して信号出力端子台３５１と電気接続されている。入力信号線７３４は、照明装置１００の外部から制御回路７２２に制御信号を入力する経路となる。出力信号線７３５は、制御回路７２２から照明装置１００の外部に制御信号を出力する経路となる。コネクタ７２３には、後述する信号線７５１のコネクタ７５２が接続される。信号線７５１によって伝達される検知部７１０の信号は、コネクタ７２３を介して制御回路７２２に入力される。
【００４７】
絶縁ケース７２４は、１つの面が開口した箱状である。制御部７２０は、絶縁ケース７２４に収容された状態で蓋体３４０に取り付けられる。絶縁ケース７２４は、制御部７２０を蓋体３４０から電気的に絶縁する。
【００４８】
ユニットカバー７２５は、制御部７２０を覆うように、蓋体３４０に取り付けられている。ユニットカバー７２５には、２つの爪部７２９が設けられている。ユニットカバー７２５は、これら２つの爪部７２９が蓋体３４０に設けられた２つの爪係合部３４７に差し込まれることで、蓋体３４０に対して位置決めされる。また、ユニットカバー７２５には、第１鍔部７２８と、第２鍔部７３０とが設けられている。ユニットカバー７２５は、第１鍔部７２８および第２鍔部７３０が蓋体３４０に当接するとともに、第２鍔部７３０に形成されたネジ穴７３１を介して第２鍔部７３０がネジ７３２により蓋体３４０に締結されることで、蓋体３４０に固定される。
【００４９】
電線カバー７７０は、一方の端が後述するセンサユニット１２０の保持部７８０と連結され、他方の端が照明ユニット１１０に取り付けられている。電線カバー７７０の他方の端は、具体的には、ユニットカバー７２５に取り付けられている。本実施の形態において、電線カバー７７０の保持部７８０と連結される端を長さ方向の一端、電線カバー７７０のユニットカバー７２５に取り付けられる端を長さ方向の他端とすると、電線カバー７７０は、長さ方向の両端が開口した箱状である。そして、電線カバー７７０の長さ方向の他端では、矩形状の開口縁の対向する２辺から、１対のガイド７７２が平板状に突出しているとともに、それら２辺のうち１辺の中央付近から高さ方向の外側に、鍔部７７４が突出している。鍔部７７４には、ネジ穴７７５が設けられている。開口縁の対向する別の２辺では、長さ方向の外側に突出し、弾性を有する爪部７７３が設けられている。電線カバー７７０がユニットカバー７２５に取り付けられる際には、ユニットカバー７２５に形成された開口部７２６にガイド７７２が挿入されるとともに、ユニットカバー７２５の開口部７２６の両側に形成された係合孔７２７に爪部７７３が差し込まれる。爪部７７３が係合孔７２７に引っ掛かることで、電線カバー７７０がユニットカバー７２５に固定される。本実施の形態では、さらに、ネジ穴７７５を介して鍔部７７４がユニットカバー７２５にネジ止めされることで、電線カバー７７０がユニットカバー７２５に強固に固定される。
【００５０】
センサユニット１２０は、検知部７１０と、保持部７８０とを備える。
【００５１】
検知部７１０は、検知基板７１１と、センサ７１３と、操作用のつまみに相当するスイッチレバー７１５ａ，７１６ａが取り付けられたスイッチ７１５，７１６とを有する。
【００５２】
センサ７１３は、本実施の形態では人感センサであるが、明るさセンサ、音声センサ等、他の種類のセンサであってもよい。人感センサとしては、具体的には焦電素子を備えた赤外線センサが用いられるが、撮像素子を用いたカメラ等、他の種類の人感センサであってもよい。
【００５３】
スイッチレバー７１５ａ，７１６ａは、それぞれスイッチ７１５，７１６の接点の切り換えを行う。スイッチ７１５は、照明ユニット１１０の待機動作の設定を行うためのものである。スイッチ７１６は、照明ユニット１１０の点灯時間の設定を行うためのものである。
【００５４】
検知基板７１１の一方の面には、検知回路７１２が配置されている。検知基板７１１の他方の面には、センサ７１３およびスイッチ７１５，７１６のほかに、コネクタ７１７が配置されている。検知回路７１２は、センサ７１３によって検知された検知状態を示す信号を検知信号として出力できるよう信号処理を行う回路である。検知回路７１２は、スイッチ７１５，７１６の切り換え状態を示す信号を切り換え信号として出力できるよう信号処理を行う回路でもある。コネクタ７１７には、後述する信号線７５１のコネクタ７５３が接続される。検知信号および切り換え信号は、コネクタ７１７を介して検知回路７１２から出力され、信号線７５１によって制御部７２０に伝達される。
【００５５】
保持部７８０は、検知部７１０を保持する。保持部７８０は、電線カバー７７０と連結されることで照明ユニット１１０に対して固定される。本実施の形態において、保持部７８０は、一方の端が電線カバー７７０と連結されるとともに、他方の端が枠４００の露出する側と反対側の面に当たることで、照明ユニット１１０に対して固定される。
【００５６】
保持部７８０の枠４００に当たる端は、センサ７１３を露出させるために一部が開口している。具体的には、保持部７８０の底部７８３に、開口部７８４が形成されており、この開口部７８４からセンサ７１３が保持部７８０の外側に露出している。保持部７８０の底部７８３には、さらに２つの開口部７８７，７８８が形成されている。これら２つの開口部７８７，７８８からは、スイッチレバー７１５ａ，７１６ａが保持部７８０の外側に露出している。保持部７８０の底部７８３に形成される開口部の数、形状、大きさ、配置等は適宜変更することができる。具体例として、スイッチレバー７１５ａ，７１６ａを省略する場合は、センサ７１３を露出させるための開口部７８４だけが形成されていればよい。
【００５７】
保持部７８０は、電線カバー７７０と連結される端が開口した箱状である。この開口した端では、矩形状の開口縁の対向する２辺から外側に突出し、弾性を有する爪部７８２が設けられている。保持部７８０が電線カバー７７０と連結される際には、電線カバー７７０の内側に形成された窪みに爪部７８２が引っ掛けられることで、保持部７８０が電線カバー７７０に固定される。
【００５８】
信号線７５１は、両端にコネクタ７５２，７５３を有し、コネクタ７５２，７５３の間の部分に保護被覆７５４が巻かれることで、伝達部７５０を構成している。伝達部７５０は、検知部７１０の検知回路７１２が出力した検知信号および切り換え信号を制御部７２０の制御回路７２２に伝達する経路となる。前述したように、信号線７５１の一端にあるコネクタ７５２は、制御部７２０のコネクタ７２３と接続され、信号線７５１の他端にあるコネクタ７５３は、検知部７１０のコネクタ７１７と接続されている。信号線７５１のコネクタ７５３につながる部分からコネクタ７５２につながる部分までを辿ると、まず、保持部７８０の内側から電線カバー７７０の内側に入り、電線カバー７７０の内側を通って制御ユニット１３０のユニットカバー７２５の内側に入る。
【００５９】
検知部７１０は、検知信号および切り換え信号を、上記のように、照明ユニット１１０に取り付けられた電線カバー７７０の内側を通過する信号線７５１を介して照明ユニット１１０に入力する。
【００６０】
電線カバー７７０とセンサユニット１２０の保持部７８０は、支持部７６０を構成している。支持部７６０は、検知部７１０を枠４００ではなく、照明ユニット１１０に取り付けて固定するために用いられる支持部材である。本実施の形態では、このような支持部材を用いることで、センサ機能を付加した照明装置１００に取り付ける枠４００を自由に選択できるようになる。また、枠４００を使用しないことも選択できるようになる。なお、支持部７６０は、一体的に構成されてもよく、具体例として、樹脂材料により一体成形されていてもよい。
【００６１】
本実施の形態において、照明装置１００は、ダウンライト型の照明装置である。照明装置１００の照明ユニット１１０を含む一部は、天井材６００に設けられた埋め込み穴６０１に埋め込まれて使用される。
【００６２】
枠４００は、照明ユニット１１０に取り付けられている。枠４００は、任意の形状でよいが、本実施の形態では環状である。枠４００の外径は、埋め込み穴６０１の外径よりも大きい。枠４００は、本実施の形態では照明ユニット１１０にネジ止めされているが、ネジ止めされずに、照明ユニット１１０に対して着脱可能となっていてもよい。枠４００が着脱可能であっても、前述したように、取り付け補助部材２６０およびバネ２７０によって照明ユニット１１０を枠４００に確実に固定することができる。
【００６３】
枠４００は、鍔部４０１を備える。鍔部４０１は、天井材６００に形成される円形の埋め込み穴６０１の縁部に当接する。枠４００は、鍔部４０１から略垂直方向に立ち上がる部分に３つの板バネ５００が取り付けられている。
【００６４】
鍔部４０１は、リング状に形成されている。具体的には、鍔部４０１は、天井材６００に設けられた埋め込み穴６０１の径よりも外径が大きく内径が小さくなるように環状に形成されている。
【００６５】
板バネ５００は、長手状かつ平板状の金属板が長手方向の少なくとも１箇所で鋭角に折り曲げられて形成される板バネである。板バネ５００の長手方向の一端は、枠４００に取り付けられている。板バネ５００の長手方向の他端は、天井材６００の埋め込み穴６０１に引っ掛けられるように屈曲している。この屈曲した部分によって、照明装置１００を天井に仮止めしたり、照明装置１００の落下を防止したりすることができる。板バネ５００は、電源端子台３５０、信号出力端子台３５１および信号入力端子台３５２と干渉しない２つ以上の位置に取り付けられていればよい。板バネ５００の枚数および配置は適宜変更してよいが、板バネ５００は、等間隔に２つ以上取り付けられることが望ましい。
【００６６】
枠４００には、開口部４０５，４０６，４０７が設けられている。センサ７１３は、開口部４０５から露出する。スイッチ７１５，７１６のつまみ、すなわち、スイッチレバー７１５ａ，７１６ａは、開口部４０６，４０７から露出する。枠４００に設けられる開口部の数、形状、大きさ、配置等は適宜変更することができる。具体例として、スイッチレバー７１５ａ，７１６ａを省略する場合は、センサ７１３を露出させるための開口部４０５だけが形成されていればよい。
【００６７】
枠４００は、露出する側の面が傾斜して反射面４０２を形成している。この傾斜した部分は、鍔部４０１の内側に斜め方向に形成されており、光源ユニット２００からの光を通すために略中央部が円形状に開口されている。反射面４０２は、光源ユニット２００からの光を反射する面であり、本実施の形態では椀状または円錐形グラス状に形成されている。
【００６８】
反射面４０２の一部には、前述した開口部４０５，４０６，４０７が設けられた段差４０３が形成されている。段差４０３には、スイッチレバー７１５ａ，７１６ａのスライド操作を案内するための表示部４０４が設けられている。表示部４０４の視認性を高めるため、段差４０３は、天井面と水平になるように、すなわち、水平になっていることが望ましい。表示部４０４には、スイッチレバー７１５ａのスライド位置に応じた待機動作の設定内容として、「消灯」、「５％」、「連続」が開口部４０６の近傍に印字される。また、表示部４０４には、スイッチレバー７１６ａのスライド位置に応じた点灯時間の設定内容として、「１０秒」、「３分」、「６分」が開口部４０７の近傍に印字される。
【００６９】
本実施の形態では、枠４００の段差４０３の裏側、すなわち、段差４０３の露出していない側の面にセンサユニット１２０の保持部７８０が載せられることで、センサユニット１２０が枠４００によっても支持される。このため、センサユニット１２０の落下を防止することができる。センサユニット１２０は、枠４００により重力方向と逆方向に押圧されて支持されるだけで、枠４００と連結されているわけではないため、枠４００を自由に選択できるという効果、および、枠４００を使用しないことも選択できるという効果が損なわれるようなことはない。
【００７０】
＊＊＊実施の形態の効果の説明＊＊＊
本実施の形態では、センサユニット１２０を枠４００と一体的に構成したり、枠４００に取り付けたりする必要がなく、センサユニット１２０の保持部７８０を、照明ユニット１１０に取り付けられた電線カバー７７０に連結するだけで、照明装置１００にセンサ機能を付加することができる。よって、本実施の形態によれば、汎用性の高いセンサユニット１２０を提供することができる。
【００７１】
本実施の形態では、照明装置１００が、検知部７１０と、制御部７２０と、伝達部７５０とを有する照明用の付加機能装置を備えている。検知部７１０は、筒形の筐体３３０の周部における一端側に配置され、当該一端側で人体等の観測対象を検知する。制御部７２０は、筐体３３０の周部における他端側に配置され、検知部７１０によって検知された検知状態を示す信号の入力を受け、その信号に基づいた制御信号を生成する。伝達部７５０は、筐体３３０の周部における両端間に配置され、検知部７１０から制御部７２０への信号を伝達する経路となる。このような付加機能装置の構成を採用したことにより、本実施の形態では、センサ機能が付加された照明装置１００に関し、照明装置１００の外観部品である枠４００のみの着脱が可能になる。
【００７２】
＊＊＊他の構成＊＊＊
本実施の形態の変形例として、スポットライト型、フランジライト型、シーリングライト型、ブラケットライト型、ペンダントライト型といった、ダウンライト型とは異なる種類の照明装置に、本実施の形態と同じ照明ユニット１１０、センサユニット１２０および電線カバー７７０が備えられてもよい。
【００７３】
実施の形態２．
本実施の形態について、主に実施の形態１との差異を説明する。
【００７４】
図９から図１４を参照して、本実施の形態に係る照明装置１００ａの構成を説明する。図９は、照明装置１００ａを斜め下方から見た図である。図１０は、照明装置１００ａを下方から見た図である。図１１は、照明装置１００ａを上方から見た図である。図１２は、天井に取り付けられた状態の照明装置１００ａの縦断面を示す図である。図１３は、照明装置１００ａが分解された状態を示す図である。図１４は、照明装置１００ａの一部が分解された状態を示す図である。
【００７５】
本実施の形態において、電源ユニット３００は、さらに、筒状のヒートシンク３９０を備える。
【００７６】
ヒートシンク３９０は、筐体３３０の外側から周壁部に固定されている。そのため、本実施の形態では、筐体３３０の仕様を変更することなく、照明装置１００ａの用途に合わせてヒートシンク３９０の仕様のみを変更するといったことが可能である。
【００７７】
ヒートシンク３９０は、周壁部が圧入されることで周壁部に固定されてもよいが、本実施の形態では周壁部に連結されることで周壁部に固定されている。具体的には、ヒートシンク３９０は、周壁部にカシメ止めされている。そのため、筐体３３０は、発光素子２１１の点灯中に光源ユニット２００から発生する熱を底壁部と光源ユニット２００との連結箇所から底壁部と周壁部とを介して周壁部とヒートシンク３９０との連結箇所まで伝導させて放熱する。本実施の形態では、周壁部とヒートシンク３９０との連結箇所を多くすることで、ＬＥＤに生じた熱を光源ユニット２００から底壁部、周壁部、ヒートシンク３９０へと効率よく伝えることができる。
【００７８】
以上、本発明の実施の形態について説明したが、これらの実施の形態のうち、１つの実施の形態を部分的に実施しても構わない。なお、本発明は、これらの実施の形態に限定されるものではなく、必要に応じて種々の変更が可能である。
【符号の説明】
【００７９】
１００，１００ａ  照明装置、１１０  照明ユニット、１２０  センサユニット、１３０  制御ユニット、２００  光源ユニット、２１０  光源基板、２１１  発光素子、２２０  板状部材、２３０  絶縁シート、２４０  反射板、２４１  開口部、２４２  バネ取り付け部、２４３  切り欠き、２５０  拡散板、２６０  取り付け補助部材、２７０  バネ、３００  電源ユニット、３１０  電源基板、３１１  点灯回路、３２０  出力電線、３３０  筐体、３３４  フランジ部、３３５  切り欠き、３４０  蓋体、３４５  ネジ穴、３４６  通気孔、３４７  爪係合部、３５０  電源端子台、３５１  信号出力端子台、３５２  信号入力端子台、３６０  入力電線、３７０  収容体、３９０  ヒートシンク、４００  枠、４０１  鍔部、４０２  反射面、４０３  段差、４０４  表示部、４０５，４０６，４０７  開口部、５００  板バネ、６００  天井材、６０１  埋め込み穴、７１０  検知部、７１１  検知基板、７１２  検知回路、７１３  センサ、７１５，７１６  スイッチ、７１５ａ，７１６ａ  スイッチレバー、７１７  コネクタ、７２０  制御部、７２１  制御基板、７２２  制御回路、７２３  コネクタ、７２４  絶縁ケース、７２５  ユニットカバー、７２６  開口部、７２７  係合孔、７２８  第１鍔部、７２９  爪部、７３０  第２鍔部、７３１  ネジ穴、７３２  ネジ、７３４  入力信号線、７３５  出力信号線、７５０  伝達部、７５１  信号線、７５２，７５３  コネクタ、７５４  保護被覆、７６０  支持部、７７０  電線カバー、７７２  ガイド、７７３  爪部、７７４  鍔部、７７５  ネジ穴、７８０  保持部、７８２  爪部、７８３  底部、７８４，７８７，７８８  開口部。
【図１】
0006689107.tif 000002
【図２】
0006689107.tif 000003
【図３】
0006689107.tif 000004
【図４】
0006689107.tif 000005
【図５】
0006689107.tif 000006
【図６】
0006689107.tif 000007
【図７】
0006689107.tif 000008
【図８】
0006689107.tif 000009
【図９】
0006689107.tif 000010
【図１０】
0006689107.tif 000011
【図１１】
0006689107.tif 000012
【図１２】
0006689107.tif 000013
【図１３】
0006689107.tif 000014
【図１４】
0006689107.tif 000015